(57)【要約】【課題】  各パネル毎に最適な多階調表示を行うことができる液晶表示装置を実現する。【解決手段】  ソースドライバ１は、パルス幅を調整するための手段として、入力されるデジタル階調データとパルス幅情報と対応付けて格納する階調データ−パルス幅変換ＬＵＴ１５を備えている。階調データ−パルス幅変換ＬＵＴ１５は、例えばＥＥＰＲＯＭにて構成されており、ＬＵＴ書き換え用ＢＵＳ（外部入力チャンネル）２によって外部からの格納データの書き換えを可能としている。【選択図】  図１
2005266361.tif 000002
【特許請求の範囲】
【請求項１】
液晶パネルをパルス幅変調で駆動するためのデータ信号線駆動回路において、
入力されるデジタル階調データとパルス幅情報と対応付けて格納する格納手段を有し、
上記格納手段は書き換え可能なメモリにて形成されているとともに、上記格納手段への格納データ書き換えを行うための外部入力チャンネルを有していることを特徴とするデータ信号線駆動回路。
【請求項２】
液晶パネルをパルス幅変調で駆動する液晶表示装置において、
入力されるデジタル階調データとパルス幅情報と対応付けて格納する格納手段を有し、
上記格納手段は、書き換え可能なメモリにて形成されているとともに、上記格納手段への格納データ書き換えを行うための外部入力チャンネルを有していることを特徴とする液晶表示装置。
【請求項３】
上記格納手段は、液晶パネルのデータバスラインの駆動を行うデータ信号線駆動回路の外部に設けられていることを特徴とする請求項２に記載の液晶表示装置。
【請求項４】
液晶パネルをパルス幅変調で駆動する液晶表示装置において、
上記液晶パネルのデータバスラインの駆動を行うデータ信号線駆動回路は、複数に分割されて具備されていると共に、
上記各データ信号線駆動回路内に、入力されるデジタル階調データとパルス幅情報と対応付けて格納する格納手段を有し、
上記各データ信号線駆動回路の格納手段には、駆動される箇所の階調特性に応じた格納データが格納されていることを特徴とする液晶表示装置。
【発明の詳細な説明】
【技術分野】
【０００１】
本発明は、パルス幅変調方式にて多階調表示を行うデータ信号線駆動回路および液晶表示装置に関するものである。
【背景技術】
【０００２】
従来の液晶表示装置において、その階調表示手法は以下の通りである。
【０００３】
各画素における液晶容量を電荷充電するためには、一水平期間毎に変化するソースドライバ出力によって各液晶容量に充電電荷が与えられる。従来、各液晶容量における階調レベルに差を与えるための駆動方式として電圧変調方式がある。電圧変調方式では、各水平期間における電圧印加時間を同一とし、液晶容量への出力電圧値、すなわちソースドライバ出力電圧値に差を与えることで、各液晶容量における階調レベルに差を与えている。
【０００４】
上記電圧変調方式において、多階調表示を行うための全階調の電圧を外部から与えることは回路規模の増大を招来する。このため、電圧変調方式の液晶表示装置で用いられる多くのソースドライバでは、図９に示すように、特定の基準階調電圧のみを入力され、その基準階調電圧間に内部ラダー抵抗を直列に設け、未入力階調電圧を分圧によって内部生成している。
【０００５】
また、多階調表示を行うための他の手法としてパルス幅変調方式がある。パルス幅変調方式は、各水平期間における液晶容量への出力電圧値を同一とし、その電圧印加時間を異ならせることで、各液晶容量における充電量、すなわち階調レベルを異ならせる手法である。
【０００６】
ここで、従来のパルス幅変調方式について、図１０を参照して以下に説明する。図１０は、液晶表示装置をパルス幅変調方式で駆動するために用いられるソースドライバの一構成例を示す図である。
【０００７】
このソースドライバは、シフトレジスタ１０１、データラッチ部１０２、サンプリングメモリ１０３、ホールドメモリ１０４、階調データ−パルス幅変換ＬＵＴ（Look-Up Table）１０５、ソースドライバ出力電圧マルチプレクサ（ＭＵＸ）１０６、出力回路１０７により構成されている。
【０００８】
上記ソースドライバに対し、入力階調デジタルデータ（すなわち、表示データ）はデータラッチ部１０２に入力され、スタートパルス信号およびクロック（ＣＫ）信号はシフトレジスタ１０１に入力される。
【０００９】
シフトレジスタ１０１は、入力されるスタートパルス信号およびクロック信号からサンプリング信号を生成し、このサンプリング信号をサンプリングメモリ１０３に入力する。サンプリングメモリ１０３では、入力されたサンプリング信号のタイミングに基づいて、データラッチ部１０２から入力階調デジタルデータが順次取り込まれる。サンプリングメモリ１０３に取り込まれた入力階調デジタルデータは、ホールドメモリ１０４を介して、階調データ−パルス幅変換ＬＵＴ１０５に入力される。
【００１０】
階調データ−パルス幅変換ＬＵＴ１０５では、入力階調デジタルデータと、これに対応するパルス幅情報とが格納されており、各入力階調デジタルデータに対応するパルス幅情報が読み出され、このパルス幅情報がソースドライバ出力電圧ＭＵＸ１０６に送られる。さらに、ソースドライバ出力電圧ＭＵＸ１０６には、各種基準電圧（High側電圧、Low側電圧、Vcom電圧、GND電圧）およびドライバ出力開始伝達信号が入力されており、これらの基準電圧とドライバ出力開始伝達信号と上記パルス幅情報とに基づいてソース出力信号（出力パルス）が生成される。ソース出力信号は、出力回路１０７を介して、各ソースバスラインに出力される。
【００１１】
すなわち、パルス幅変調方式では、階調レベルの高い画素に対しては、その液晶容量への電圧印加時間、すなわちパルス幅を大きく取り、階調レベルの低い画素に対してはパルス幅を小さく取る（ノーマリーホワイトの場合）ことで、各液晶容量への充電量を異ならせ、多階調表示を可能としている。
【００１２】
尚、上記パルス幅変調方式を開示するものとしては、例えば特許文献１や特許文献２がある。また、特許文献３，４には、液晶の階調表示特性（γ特性）をＥＥＰＲＯＭ等のＬＵＴに予め格納しておき、このＬＵＴを用いて、ＣＲＴ用のγ特性信号を液晶専用の電圧―透過率特性に補正する技術が開示されている。
【特許文献１】特開平７−７２４５８号公報（公開日  平成７年（１９９５）３月１７日）
【特許文献２】特許第２９７９２４５号公報（公表日  平成４年（１９９２）５月７日）
【特許文献３】特開平９−２８８４６８号公報（公開日  平成９年（１９９７）１１月４日）
【特許文献４】特許２００２−９９２３８号公報（公開日  平成１４年（２００２）４月５日））
【発明の開示】
【発明が解決しようとする課題】
【００１３】
しかしながら、上記従来の構成では、以下のような問題を生じる。
【００１４】
電圧変調方式では、回路規模縮小化を実現するため、ソースドライバへ入力する階調基準電圧を少しでも減らし、その分、ドライバ内部のラダー抵抗の分圧精度を向上する等して、多階調高表示品位を実現してきた。
【００１５】
しかしながら、ドライバ開発時に、内部ラダー抵抗をある特定のＬＣＤ（Liquid Crystal Display）パネルを基準として厳密に分圧比を合わせこむのは良いが、実際には、そのドライバは、基準としたパネルのみに最適なのであって、他のサイズ、解像度のパネルに採用しようとしても厳密には階調特性及びフリッカーレベルは理想的ではない。
【００１６】
よって、電圧変調方式を採用する液晶表示装置では、内部ラダー抵抗を用いることにより、ソースドライバの回路規模縮小化は図れるものの、ドライバを汎用的に多種多様なパネルに採用する上においては、階調特性及びフリッカーレベルを犠牲にする場合も多々存在する。
【００１７】
また、パルス幅変調方式において、多階調高表示品位を実現するためには、階調データ−パルス幅変換ＬＵＴの格納データにおいて、表示パネルの特性に応じたデータの合わせ込みを行う必要がある。しかしながら、上記ＬＵＴの格納データをある特定のＬＣＤパネルを基準として厳密に合わせこんだ場合、実際には、そのドライバは、基準としたパネルのみに最適なのであって、他のサイズ、解像度のパネルに採用しようとしても厳密には階調特性及びフリッカーレベルは理想的ではない。
【００１８】
また、従来の電圧変調方式を採用する液晶表示装置では、上記ＬＵＴの格納データは内部固定であるため、電圧変調方式の場合と同様に、ドライバを汎用的に多種多様なパネルに採用する上においては、階調特性及びフリッカーレベルを犠牲にする場合が多々存在する。
【００１９】
本発明は、上記の問題点に鑑みてなされたものであり、その目的は、各パネル毎に最適な多階調表示を行うことができる液晶表示装置を実現することにある。
【課題を解決するための手段】
【００２０】
本発明に係るデータ信号線駆動回路は、上記課題を解決するために、液晶パネルをパルス幅変調で駆動するためのデータ信号線駆動回路において、入力されるデジタル階調データとパルス幅情報と対応付けて格納する格納手段を有し、上記格納手段は書き換え可能なメモリにて形成されているとともに、上記格納手段への格納データ書き換えを行うための外部入力チャンネルを有していることを特徴としている。
【００２１】
パルス幅変調を行う液晶表示装置では、多階調表示を行うために、入力されるデジタル階調データに基づいてデータ信号線駆動回路から出力される出力パルスのパルス幅を調整する必要がある。
【００２２】
上記の構成によれば、パルス幅を調整するための手段として、入力されるデジタル階調データとパルス幅情報と対応付けて格納する格納手段が備えられており、入力されたデジタル階調データに対応するパルス幅情報を上記格納手段から読み出し、読み出されたパルス幅情報に基づいてパルス幅変調を行うことができる。
【００２３】
また、上記格納手段は、書き換え可能なメモリにて形成されており、上記格納手段への格納データ書き換えを行うための外部入力チャンネルを有している。このため、上記データ信号線駆動回路では、該データ信号線駆動回路の完成後も、上記格納手段の格納データを書き換えることにより、各階調特性(フリッカーも含む)を何れのパネルに対しても最適に合わせこむことを可能としている。
【００２４】
また、本発明に係る液晶表示装置は、上記課題を解決するために、液晶パネルをパルス幅変調で駆動する液晶表示装置において、入力されるデジタル階調データとパルス幅情報と対応付けて格納する格納手段を有し、上記格納手段は、書き換え可能なメモリにて形成されているとともに、上記格納手段への格納データ書き換えを行うための外部入力チャンネルを有していることを特徴としている。
【００２５】
上記の構成によれば、上述のデータ信号線駆動回路と同様に、上記格納手段の格納データを書き換えることにより、各階調特性(フリッカーも含む)を何れのパネルに対しても最適に合わせこむことを可能としている。
【００２６】
また、上記液晶表示装置においては、上記格納手段は、液晶パネルのデータバスラインの駆動を行うデータ信号線駆動回路の外部に設けられている構成とすることができる。
【００２７】
上記の構成によれば、出力パルスのパルス幅調整は、データ信号線駆動回路の外部回路となる格納手段より逐次読み取り、前記と同様の動作を行う構成とし、さらに、データ信号線駆動回路内の内蔵ＲＯＭが削減され、更なるコストダウンが見込まれる。
【００２８】
また、本発明に係る液晶表示装置は、液晶パネルをパルス幅変調で駆動する液晶表示装置において、上記液晶パネルのデータバスラインの駆動を行うデータ信号線駆動回路は、複数に分割されて具備されていると共に、上記各データ信号線駆動回路内に、入力されるデジタル階調データとパルス幅情報と対応付けて格納する格納手段を有し、上記各データ信号線駆動回路の格納手段には、駆動される箇所の階調特性に応じた格納データが格納されていることを特徴としている。
【００２９】
上記の構成によれば、データ信号線駆動回路の製造時に、各液晶表示パネル毎のデータ（階調データ−パルス幅の対応データ）を予め準備し、これを上記格納手段に予め記憶させておくことでデータ信号線駆動回路の汎用性が保たれる。
【００３０】
さらに、この構成では、モジュール入力チャンネルから階調特性を書き込む信号線を削減できるだけでなく、液晶表示パネルによっては面内フリッカーがひどく同一階調特性を持つデータ信号線駆動回路では調整が難しい場合でも、フリッカーが合わなくなる箇所のみ微妙に階調特性をずらしたデータ信号線駆動回路を使用するという方法も実現でき、より表示品位の向上を図ることができる。
【発明の効果】
【００３１】
本発明のデータ信号線駆動回路および液晶表示装置では、パルス幅を調整するための手段として、入力されるデジタル階調データとパルス幅情報と対応付けて格納する格納手段が備えられており、入力されたデジタル階調データに対応するパルス幅情報を上記格納手段から読み出し、読み出されたパルス幅情報に基づいてパルス幅変調を行うことができる。
【００３２】
また、上記格納手段は、データ信号線駆動回路の完成後も、上記格納手段の格納データを書き換えることにより、各階調特性(フリッカーも含む)を何れのパネルに対しても最適に合わせこむことを可能とするといった効果を奏する。
【発明を実施するための最良の形態】
【００３３】
本発明の一実施形態について図１ないし図８に基づいて説明すると以下の通りである。先ず、本実施の形態に係る液晶表示装置で用いられるソースドライバ（データ信号線駆動回路）の概略構成を、図１を参照して以下に説明する。
【００３４】
ソースドライバ１は、シフトレジスタ１１、データラッチ部１２、サンプリングメモリ１３、ホールドメモリ１４、階調データ−パルス幅変換ＬＵＴ（Look-Up Table）１５、ソースドライバ出力電圧ＭＵＸ１６、出力回路１７により構成されている。
【００３５】
上記ソースドライバ１に対し、入力階調デジタルデータ（すなわち、表示データ）はデータラッチ部１２に入力され、スタートパルス信号およびクロック（ＣＫ）信号はシフトレジスタ１１に入力される。
【００３６】
シフトレジスタ１１は、入力されるスタートパルス信号およびクロック信号からサンプリング信号を生成し、このサンプリング信号をサンプリングメモリ１３に入力する。サンプリングメモリ１３では、入力されたサンプリング信号のタイミングに基づいて、データラッチ部１２から入力階調デジタルデータが順次取り込まれる。サンプリングメモリ１３に取り込まれた入力階調デジタルデータは、ホールドメモリ１４を介して、階調データ−パルス幅変換ＬＵＴ１５に入力される。
【００３７】
シフトレジスタ１１、データラッチ部１２、サンプリングメモリ１３、ホールドメモリ１４の構成および動作は、従来のソースドライバ（図１０参照）におけるシフトレジスタ１０１、データラッチ部１０２、サンプリングメモリ１０３、ホールドメモリ１０４の構成および動作と同じである。
【００３８】
階調データ−パルス幅変換ＬＵＴ１５では、入力階調デジタルデータと、これに対応するパルス幅情報とが格納されており、各入力階調デジタルデータに対応するパルス幅情報が読み出され、このパルス幅情報がソースドライバ出力電圧ＭＵＸ１６に送られる。このパルス幅情報の読み出しにかかる動作は、従来のソースドライバにおける階調データ−パルス幅変換ＬＵＴ１０５と同様である。
【００３９】
一方で、本実施の形態における階調データ−パルス幅変換ＬＵＴ１５は、例えばＥＥＰＲＯＭにて構成されており、ＬＵＴ書き換え用ＢＵＳ（外部入力チャンネル）２によって外部からの格納データの書き換えを可能としている点で、従来の階調データ−パルス幅変換ＬＵＴ１０５と大きく異なる。
【００４０】
さらに、ソースドライバ出力電圧ＭＵＸ１６には、各種基準電圧（High側電圧、Low側電圧、Vcom電圧、GND電圧）およびドライバ出力開始伝達信号が入力されており、これらの基準電圧とドライバ出力開始伝達信号と上記パルス幅情報とに基づいてソース出力信号（出力パルス）が生成される。ソース出力信号は、出力回路１７を介して、ＬＣＤパネル３（図５参照）の各ソースバスライン（データバスライン）に出力される。
【００４１】
次に、パルス幅変調方式で駆動を行う液晶表示装置において、各階調レベルをデジタル的に表現する手法を以下に説明する。
【００４２】
ＴＦＴ液晶画素の駆動においては、図２に示すように、スイッチング素子となるＴＦＴ（Thin Film Transistor）のゲートに接続されたゲートバスラインから走査信号を与えることでＴＦＴのＯＮ／ＯＦＦを制御し、ＴＦＴがＯＮ状態とされている電極容量Ｃｌｃに対してソースバスラインから液晶容量充電電圧を印加する。また、電極容量Ｃｌｃの他端には、共通電極電圧が印加される。
【００４３】
ＴＦＴ液晶を駆動する際には、パネルの焼き付き等を防ぐために、通常、毎垂直フレームにおいて液晶容量Ｃｌｃへの充電電圧極性が反対になるような駆動構成を取っている。
【００４４】
すなわち、共通電極電圧Ｖｃｏｍより高い階調電圧が印加される液晶容量Ｃｌｃ（図３（ａ）および図４（ａ）における＋の画素）には、Ｈｉｇｈ側の液晶容量充電電圧をソースドライバから出力し、共通電極電圧Ｖｃｏｍより低い階調電圧が印加される液晶容量Ｃｌｃ（図３（ａ）および図４（ａ）における−の画素）には、Ｌｏｗ側の液晶容量充電電圧をソースドライバから出力する。尚、ライン反転駆動時には、共通電極電圧Ｖｃｏｍは水平期間毎に極性が反転され（図３（ｂ）参照）、ドット反転駆動時には、共通電極電圧Ｖｃｏｍは一定の電圧に保持される（図４（ｂ）参照）。
【００４５】
つまり、パルス幅変調では、図５に示すように、ソースドライバへ入力される液晶駆動基準電圧は、Ｈｉｇｈ側が１値（High側基準電圧）、Ｌｏｗ側が１値（Low側基準電圧）の計２電源のみであるため、各極性時においてソースドライバからの電圧出力時間を調節することで各階調表示を実現する。１水平期間の一定充電時間内において、前記２基準電源出力開始タイミングは、ＬＣＤタイミングコントロールＡＳＩＣより各ソースドライバに供給される。
【００４６】
ソースドライバからの電圧出力時間の調節は、上述したように、階調データ−パルス幅変換ＬＵＴ１５およびソースドライバ出力電圧ＭＵＸ１６にて行われる。階調データ−パルス幅変換ＬＵＴ１５には、入力階調デジタルデータと、パルス幅情報として例えば、出力パルスのリセットタイミングとが対応付けて格納されている。また、出力パルスのリセットタイミングは、例えば、基準クロックのクロック数によって与えられる。
【００４７】
階調データ−パルス幅変換ＬＵＴ１５では、入力階調デジタルデータに対応する出力パルスのリセットタイミングが読み出され、このリセットタイミングがドライバ出力パルス伝達信号として、後段のソースドライバ出力電圧ＭＵＸ１６に送られる。
【００４８】
ソースドライバ出力電圧ＭＵＸ１６において生成される出力パルスは、ドライバ出力開始伝達信号と基準クロックとを用いて各ゲートラインに対しての充電期間（パルス幅）が設定される。具体的には、ドライバ出力開始伝達信号の入力によって出力パルスの始点が設定され、これと同時に基準クロックのカウントが開始される。
【００４９】
そして、出力パルスの終点は、階調データ−パルス幅変換ＬＵＴ１５から入力されたドライバ出力パルス伝達信号（すなわち、階調データ−パルス幅変換ＬＵＴ１５にて読み出された出力パルスのリセットタイミング）によって決定される。
【００５０】
これを、図６を参照して説明すると以下のとおりである。ここでは、図６（ａ）に示すように、ｎライン目のソースバスラインにおいて、１，２ライン目のゲートバスラインに繋がる画素の階調レベルを低く（暗く）、３，４ライン目のゲートバスラインに繋がる画素の階調レベルを高く（明るく）して表示を行いたい場合を例示する。
【００５１】
この場合の水平極性制御信号および１〜４ライン目のゲートバスラインにおけるゲート出力信号は、図６（ｂ）に示すようなものとなる。
【００５２】
また、ソースドライバの出力は、図６（ｃ）に示すようなものとなる。ここで、１，３ライン目は、Ｈｉｇｈ側基準電圧によって液晶容量が充電されるが、この場合は、階調レベルが高くなる３ライン目において、電圧印加時間が短くなるように設定されている。一方、２，４ライン目は、Ｌｏｗ側基準電圧によって液晶容量が充電されるが、この場合は、階調レベルが低くなる２ライン目において、電圧印加時間が短くなるように設定されている。尚、電圧印加時間を調整するための規定クロックカウント終了後は、ソースドライバ出力を、Ｈｉｇｈ側出力時にはＶｃｏｍレベルに、Ｌｏｗ側出力時にはＧＮＤレベルに切り替えている。
【００５３】
つまり、図６の例では、階調データ−パルス幅変換ＬＵＴ１５において格納されている、入力階調デジタルデータとリセットタイミングとの関係は、Ｈｉｇｈ側基準電圧で充電を行う場合とＬｏｗ側基準電圧で充電を行う場合とで異なっており、階調データ−パルス幅変換ＬＵＴ１５は、Ｈｉｇｈ側およびＬｏｗ側の２種類のリセットタイミングを格納している必要がある。また、階調データ−パルス幅変換ＬＵＴ１５は、上記水平極性制御信号に基づいて、Ｈｉｇｈ側およびＬｏｗ側の何れのリセットタイミングを読み出すかを制御することができる。
【００５４】
尚、上記説明における動作では、出力パルスの始点を固定として終点を可変としているが、これとは逆に、始点を可変として終点を固定としてもよい。
【００５５】
以上のように、本実施の形態に係る液晶表示装置では、ソースドライバに内蔵されている階調データ−パルス幅変換ＬＵＴ１５をＥＥＰＲＯＭ等にて構成し、階調データ−パルス幅変換ＬＵＴ１５に、基準電圧出力開始タイミングよりどのタイミングで基準電圧をＯＦＦするかという値をあらかじめ外部から書き込んでおく。具体的には、ソースドライバへタイミングコントロールＡＳＩＣによって入力されるクロックのカウント数を書き込むことにより、基準電圧出力をＯＦＦするタイミングを決定するための時間換算が可能になる。
【００５６】
これにより、ソースドライバは、タイミングコントロールＡＳＩＣより基準電圧出力開始タイミングを受けた後、表示する階調に対応して決定されるクロックカウントを階調データ−パルス幅変換ＬＵＴ１５から読み出し、このクロックカウント期間中のみ電圧出力を実施する。
【００５７】
このように、各階調の電圧出力時間をソースドライバ内部の書き換え可能なＥＥＰＲＯＭに保持する構成にすることで、ソースドライバをＬＣＤパネルに実装した後も最適な階調設定を可能とする柔軟性を持たせることが可能になり、しいてはソースドライバの汎用化につながる。
【００５８】
また、本発明に係る液晶表示装置は、さらに、以下に示すような変形例により、さらなる改善効果が期待できる。
【００５９】
例えば図７に示すように、上記構成ではソースドライバ内に内蔵していたＥＥＰＲＯＭ（すなわち、階調データ−パルス幅変換ＬＵＴ１５）をソースドライバの外部回路として備えることが可能である。
【００６０】
この構成では、ソース出力ＯＦＦタイミングは、外部回路のＥＥＰＲＯＭより逐次読取り、前記と同様の動作を行う構成とする。これにより、ソースドライバ内の内蔵ＲＯＭが削減され、更なるコストダウンが見込まれる。
【００６１】
また、例えば図８に示すように、ソースドライバ内には、ＥＥＰＲＯＭを内蔵しておき、ドライバ製造時に、ある種のパネルの階調特性データを予め記憶させておく構成とすることができる。この場合、各ＬＣＤパネル毎のデータ（階調データ−パルス幅の対応データ）を予め準備し、このパネル毎のデータをドライバテーピング状態時に書き込むことでソースドライバの汎用性は保たれる。
【００６２】
この構成では、モジュール入力チャンネルから階調特性を書き込む信号線を削減できるだけでなく、ＬＣＤパネルによっては面内フリッカーがひどく同一階調特性を持つソースドライバでは調整が難しい場合でも、フリッカーが合わなくなる箇所のみ微妙に階調特性をずらしたソースドライバを使用するという方法も実現でき、より表示品位の向上を図ることができる。
【図面の簡単な説明】
【００６３】
【図１】本発明の実施形態を示すものであり、液晶表示装置で用いられるソースドライバの要部構成を示すブロック図である。
【図２】液晶容量への充電形態を示す図である。
【図３】図３（ａ）は、ライン反転駆動時のパネル充電状態を示す図であり、図３（ｂ）は、ライン反転駆動時の充電電圧を示す波形図である。
【図４】図４（ａ）は、ドット反転駆動時のパネル充電状態を示す図であり、図４（ｂ）は、ドット反転駆動時の充電電圧を示す波形図である。
【図５】本発明の実施形態を示すものであり、液晶表示装置の概略構成を示すブロック図である。
【図６】図６（ａ）は、ＬＣＤパネルにおける階調表示例を示す図であり、図６（ｂ）は、上記階調表示を行う場合の水平制御信号およびゲート出力信号を示す波形図であり、図６（ｃ）は、上記階調表示を行う場合のソース出力を示す波形図である。
【図７】本発明の図５とは異なる実施形態を示すものであり、液晶表示装置の概略構成を示すブロック図である。
【図８】本発明の図５，図７とは異なる実施形態を示すものであり、液晶表示装置の概略構成を示すブロック図である。
【図９】電圧変調方式によるソースドライバの階調基準電圧生成手段を示すブロック図である。
【図１０】パルス幅変調方式による従来のソースドライバの要部構成を示すブロック図である。
【符号の説明】
【００６４】
１    ソースドライバ（データ信号線駆動回路）
２    ＬＵＴ書き換え用ＢＵＳ（外部入力チャンネル）
３    液晶パネル
１５    階調データ-パルス幅変換ＬＵＴ（格納手段）
【図１】
2005266361.tif 000003
【図２】
2005266361.tif 000004
【図３】
2005266361.tif 000005
【図４】
2005266361.tif 000006
【図５】
2005266361.tif 000007
【図６】
2005266361.tif 000008
【図７】
2005266361.tif 000009
【図８】
2005266361.tif 000010
【図９】
2005266361.tif 000011
【図１０】
2005266361.tif 000012